(57)【要約】【課題】本発明は操作の小短い段ボール設備を開示した。【解決手段】外殻を含み、前記外殻の底部に左右台座が設けられ、前記台座にカウンタウェイトブロックが設置され、前記カウンタウェイトブロックが台座と外殻の安固性を高めることに用いられ、前記外殻に左右に広がる空き倉庫が設置され、前記空き倉庫の底端部の左右両端にそれぞれ左スライド溝と右スライド溝が対応して設置され、前記左スライド溝と右スライド溝の間の前記外殻に第一電機が設置され、前記左スライド溝と右スライド溝の中にそれぞれ左螺旋レバーと右螺旋レバーが対応して設置され、本発明の押し装置は構造が簡単で、生産コストが低い、操作が簡単かつ便利であり、段ボール成型の作動効率を大きく高め、同時に人力や物資の浪費を減少し、成型された段ボールが安固であり、取り外しも便利で快速で、段ボールの平坦性及び美観度を有効に高める。【選択図】図５
2019010876.tif 000002
【特許請求の範囲】
【請求項１】
操作の小短い段ボール設備は、その特徴は：外殻を含み、前記外殻の底部に左右台座が設けられ、前記台座にカウンタウェイトブロックが設置され、前記外殻に左右に広がる空き倉庫が設置され、前記空き倉庫の底端部の左右両端にそれぞれ左スライド溝と右スライド溝が対応して設置され、前記左スライド溝と右スライド溝の間の前記外殻に第一電機が設置され、前記左スライド溝と右スライド溝の中にそれぞれ左螺旋レバーと右螺旋レバーが対応して設置され、前記左螺旋レバーと右螺旋レバーにぞれぞれ左押し構造と右押し構造が対応して設置され、前記外殻の頂部に前記空き倉庫と通連する左差込溝と右差込溝が左右対応して設置され、前記空き倉庫の頂端部に前記左差込溝と右差込溝の間に上ガイド溝が設置され、前記空き倉庫の底端部の中心に前記上ガイド溝と相対する下ガイド溝が設置され、前記下ガイド溝の底端部の中点に前後に広がる下嵌め溝が設置され、前記空き倉庫の後端部に上下に広がる後嵌め溝が設置され、前記下嵌め溝と後嵌め溝の中に押棒が設置され、前記後嵌め溝の後端部に前記押棒と固定に接続するロールアウト構造が設置され、前記空き倉庫の前端部に上下に広がるかつ前記後嵌め溝と相対するフロントバイアホールが設置され、前記外殻に握り装置が設置され、前記押棒が前記下嵌め溝と係合設置されるソールバー及び前記後嵌め溝と係合設置される後レバーを含み、前記ロールアウト構造が前記後嵌め溝と通連するロールアウトホールを含み、前記ロールアウトホールに前記後レバーと固定に接続されるねじ込みソケット殻が設置され、前記ロールアウトホールに前記ねじ込みソケット殻と係合接続されるロールアウト螺旋レバーが設置され、前記ロールアウトの後端が前記ロールアウトホールの後端部に設置される第二電機と接続され、前記上ガイド溝、空き倉庫、下ガイド溝と下嵌め溝がいずれも前記後嵌め溝と通連し、前記後嵌め溝、空き倉庫及びフロントバイアホールがいずれも前記下嵌め溝と通連し、前記上ガイド溝の左右両端がそれぞれ前記左差込溝及び右差込溝と通連し、前記下ガイド溝の水平的な長さが前記上ガイド溝、左差込溝及び右差込溝の水平的な長さと同じ、前記左差込溝と右差込溝の頂端に斜角口が設置され、前記上ガイド溝の頂端部の左右両端にいずれも斜角面が設置され、前記左螺旋レバーの左端が前記左スライド溝の左端部と回転し係合接続され、前記左螺旋レバーの右端が前記第一電機と接続され、更に前記左螺旋レバーと前記左スライド溝及び右スライド溝の間の前記外殻と回転し係合接続され、前記右螺旋レバーの右端と前記右スライド溝の右端部が回転し係合接続され、前記右螺旋レバーの左端が前記第一電機と接続され、更に前記右螺旋レバーも前記左スライド溝及び右スライド溝の間の前記外殻と回転し係合接続され、前記左押し構造及び右押し構造がいずれも前記左スライド溝及び右スライド溝とスライドし係合接続されるかつ前記左螺旋レバー及び右螺旋レバーと係合接続されるスライドブロックを含み、前記スライドブロックの頂部に前記空き倉庫の内側へ広がる押板が固定に設置され、前記押板に接続溝が設置され、前記接続溝の中に切り欠きが内側に向かうかつ左右にスムーズに滑る頂板が設置され、前記頂板と前記空き倉庫がスライドし係合接続され、前記接続溝の外側端部に二つの弾性短冊ホールが上下に対応し設置され、それぞれの前記弾性短冊ホールに弾性短冊が設置され、前記弾性短冊の内側端が前記頂板と固定に接続されて前記頂板を内側へ押さえ、前記握り装置が前記外殻の左右両端面に固定に取付けられる握り棚を含み、前記握り棚に握りホールが設置される。
【発明の詳細な説明】
【技術分野】
【０００１】
本発明は段ボール分野に関し、具体的には、操作の小短い段ボール設備に関する。
【背景技術】
【０００２】
段ボール加工技術の絶えない発展に伴って、段ボールのタイプも多様になっていき、効用もますます多くなり、例えば防水や保温の効用を備える段ボールの生産や使用率もますます高めていく。生産加工の時に、一般的には防水段ボールや保温段ボールを押さえて一体に圧縮し、使用需要に満たすのである。現有の段ボールの押し方式は主に人工押しや機械押しに分けられている。人工押しは生産率が低い、押し力が均等でなく、段ボールの合着強度が望ましなく、人力や物資を浪費し、仕上がりの平坦度や美観度が保証を得られない。機械押しは一般的には一つの段ボールを錠前一組で固定し、それから押し機を使ってもう一つの段ボールを押さえ、こういう方式で段ボールを下へ押さえる時に、段ボールが変位しやすく、また押して成型した後で、成型された段ボールを取り外すには手動で錠前一組を開ける必要があり、操作手順が複雑で、使用が不便で、段ボールの成型加工の効率を大きく下げる。
【先行技術文献】
【特許文献】
【０００３】
【特許文献１】中国特許出願公開第104827712号明細書
【発明の概要】
【発明が解決しようとする課題】
【０００４】
本発明の目的は上記の背景技術に提出された問題を解決するための操作の小短い段ボール設備を提供することにある。
【０００５】
本発明は以下の技術プランで実現される：本発明の操作の小短い段ボール設備は、外殻を含み、前記外殻の底部に左右台座が設けられ、前記台座にカウンタウェイトブロックが設置され、前記外殻に左右に広がる空き倉庫が設置され、前記空き倉庫の底端部の左右両端にそれぞれ左スライド溝と右スライド溝が対応して設置され、前記左スライド溝と右スライド溝の間の前記外殻に第一電機が設置され、前記左スライド溝と右スライド溝の中にそれぞれ左螺旋レバーと右螺旋レバーが対応して設置され、前記左螺旋レバーと右螺旋レバーにぞれぞれ左押し構造と右押し構造が対応して設置され、前記外殻の頂部に前記空き倉庫と通連する左差込溝と右差込溝が左右対応して設置され、前記空き倉庫の頂端部に前記左差込溝と右差込溝の間に上ガイド溝が設置され、前記空き倉庫の底端部の中心に前記上ガイド溝と相対する下ガイド溝が設置され、前記下ガイド溝の底端部の中点に前後に広がる下嵌め溝が設置され、前記空き倉庫の後端部に上下に広がる後嵌め溝が設置され、前記下嵌め溝と後嵌め溝の中に押棒が設置され、前記後嵌め溝の後端部に前記押棒と固定に接続するロールアウト構造が設置され、前記空き倉庫の前端部に上下に広がるかつ前記後嵌め溝と相対するフロントバイアホールが設置され、前記外殻に握り装置が設置される。
【０００６】
優先的な技術プランとして、前記押棒が前記下嵌め溝と係合設置されるソールバー及び前記後嵌め溝と係合設置される後レバーを含み、前記ロールアウト構造が前記後嵌め溝と通連するロールアウトホールを含み、前記ロールアウトホールに前記後レバーと固定に接続されるねじ込みソケット殻が設置され、前記ロールアウトホールに前記ねじ込みソケット殻と係合接続されるロールアウト螺旋レバーが設置され、前記ロールアウトの後端が前記ロールアウトホールの後端部に設置される第二電機と接続される。
【０００７】
優先的な技術プランとして、前記上ガイド溝、空き倉庫、下ガイド溝と下嵌め溝がいずれも前記後嵌め溝と通連し、前記後嵌め溝、空き倉庫及びフロントバイアホールがいずれも前記下嵌め溝と通連し、前記上ガイド溝の左右両端がそれぞれ前記左差込溝及び右差込溝と通連し、前記下ガイド溝の水平的な長さが前記上ガイド溝、左差込溝及び右差込溝の水平的な長さと同じである。
【０００８】
優先的な技術プランとして、前記左差込溝と右差込溝の頂端に斜角口が設置され、前記上ガイド溝の頂端部の左右両端にいずれも斜角面が設置される。
【０００９】
優先的な技術プランとして、前記左螺旋レバーの左端が前記左スライド溝の左端部と回転し係合接続され、前記左螺旋レバーの右端が前記第一電機と接続され、更に前記左螺旋レバーと前記左スライド溝及び右スライド溝の間の前記外殻と回転し係合接続され、前記右螺旋レバーの右端と前記右スライド溝の右端部が回転し係合接続され、前記右螺旋レバーの左端が前記第一電機と接続され、更に前記右螺旋レバーも前記左スライド溝及び右スライド溝の間の前記外殻と回転し係合接続される。
【００１０】
優先的な技術プランとして、前記左押し構造及び右押し構造がいずれも前記左スライド溝及び右スライド溝とスライドし係合接続されるかつ前記左螺旋レバー及び右螺旋レバーと係合接続されるスライドブロックを含み、前記スライドブロックの頂部に前記空き倉庫の内側へ広がる押板が固定に設置され、前記押板に接続溝が設置され、前記接続溝の中に切り欠きが内側に向かうかつ左右にスムーズに滑る頂板が設置され、前記頂板と前記空き倉庫がスライドし係合接続され、前記接続溝の外側端部に二つの弾性短冊ホールが上下に対応し設置され、それぞれの前記弾性短冊ホールに弾性短冊が設置され、前記弾性短冊の内側端が前記頂板と固定に接続されて前記頂板を内側へ押さえる。
【００１１】
優先的な技術プランとして、前記握り装置が前記外殻の左右両端面に固定に取付けられる握り棚を含み、前記握り棚に握りホールが設置される。
【発明の効果】
【００１２】
本発明の有益効果は：1.第一電機の作動によって左押し構造と右押し構造が同時に内側へ運動して防水段ボールと保温段ボールを内側へ押さえて段ボールに成型させ、左押し構造と右押し構造が同時に内側へ運動する過程で、まずは二つの頂板が内側へスライドして各自と対応する防水段ボールと保温段ボールを押さえて内側へスライドし近接させ、または二つの押板の内側の端面が別々で防水段ボール及び保温段ボールと突合、これにより防水段ボールと保温段ボールが内側へ安固にスライドし、二つの押板の内側端面が別々防水段ボール及び保温段ボールと突き合う時に、押板の内側端面が頂板の内側端面と同じ水平面にあり、これにより二つの頂板と二つの押板によって同時に防水段ボールと保温段ボールに圧力を加えて段ボールに成型させ、防水段ボールと保温段ボールの加えられた圧力を均等にし、防水段ボールと保温段ボールをもっと安固に押さえ、成型された段ボールの平坦性や美観度を保証する。
【００１３】
2.防水段ボールと保温段ボールから成型された段ボールが押棒にあり、それから前記第一電機を逆転させ、二つの前記押板が外側へ運動して成型された段ボールとの接触から離脱し、この時に、二つの前記頂板が前記弾性短冊の推力の作用のもとでまた成型された段ボールと接触する状態にあり、これにより成型された段ボールがずらないように成型された段ボール推力を加え、第一電機を逆転させた後で第二電機を起動してねじ込みソケット殻を前記ロールアウトホールから差し出し、これにより前記ねじ込みソケット殻が前記押棒を成型された段ボールと一緒に前記フロントバイアホールからロールアウトさせ、最後に成型された段ボールを取り外せばいい、前記押板が外側へ運動する過程で前記頂板が外側へ運動して成型された段ボールとの接触から離脱し、成型された段ボールを取り外すことが便利になり、必要以上の複雑な手順を抜いて段ボールを取り外せる。
【００１４】
3.上ガイド溝と下ガイド溝によって防水段ボールと保温段ボールを内があへスライドしガイドさせ、これにより防水段ボールと保温段ボールの変位を防止し、左差込溝と右差込溝の頂端に斜角口を設置することで、防水段ボールと保温段ボールが快速に左差込溝と右差込溝に挿入することを便利になし、上ガイド溝の頂端部の左右両端に斜角面を設置することで、防水段ボールと保温段ボールが内側へスライドする時にぶつかうことを防止する。
【００１５】
4.本発明の押し装置は構造が簡単で、生産コストが低い、操作が簡単かつ便利であり、段ボール成型の作動効率を大きく高め、同時に人力や物資の浪費を減少し、成型された段ボールが安固であり、取り外しも便利で快速で、段ボールの平坦性及び美観度を有効に高める。
【図面の簡単な説明】
【００１６】
本発明の実施例また既存の技術の中の技術方案をもっとはっきり説明するため、下記に実施例また既存の技術の説明の中に使用する必要がある附図に簡単な紹介を行って、一目でわかることは下記の説明の中の附図はただ本発明のいくつかの実施例で、本領域の普通技術者にとって、創造的な労働を払わないことを前提に、これらの附図に基づいてそのほかの附図を得ることができる。
【００１７】
【図１】図1は本発明の操作の小短い段ボール設備の内部構造概略図である。
【図２】図2は図1の矢印方向の構造概略図である。
【図３】図3は図1に防水段ボールや保温段ボールを加える時の右視点構造概略図である。
【図４】図4は図3において防水段ボールと保温段ボールが押さえられる状態にある時の構造概略図である。
【図５】図5は図1の底面図である。
【発明を実施するための形態】
【００１８】
下記に附図を交え本発明の好ましい実施例を詳しく説明し、本発明の長所と特徴を本分野の技術者にもっとやすく理解させ、これにより本発明の保護範囲にもっと明確な画定を行う。
【００１９】
図1〜5が示す操作の小短い段ボール設備を参照し、外殻1を含み、前記外殻の底部に左右台座111が設けられ、前記台座にカウンタウェイトブロック112が設置され、前記カウンタウェイトブロックが台座111と外殻1の安固性を高めることに用いられ、前記外殻1に左右に広がる空き倉庫2が設置され、前記空き倉庫2の底端部の左右両端にそれぞれ左スライド溝3と右スライド溝4が対応して設置され、前記左スライド溝3と右スライド溝4の間の前記外殻1に第一電機5が設置され、前記左スライド溝3と右スライド溝4の中にそれぞれ左螺旋レバー31と右螺旋レバー41が対応して設置され、前記左螺旋レバー31と右螺旋レバー41にぞれぞれ左押し構造と右押し構造が対応して設置され、前記外殻1の頂部に前記空き倉庫2と通連する左差込溝7と右差込溝8が左右対応して設置され、前記空き倉庫2の頂端部に前記左差込溝7と右差込溝8の間に上ガイド溝10が設置され、前記空き倉庫2の底端部の中心に前記上ガイド溝10と相対する下ガイド溝14が設置され、前記下ガイド溝14の底端部の中点に前後に広がる下嵌め溝13が設置され、前記空き倉庫2の後端部に上下に広がる後嵌め溝12が設置され、前記下嵌め溝13と後嵌め溝12の中に押棒が設置され、前記後嵌め溝12の後端部に前記押棒と固定に接続するロールアウト構造が設置され、前記空き倉庫2の前端部に上下に広がるかつ前記後嵌め溝12と相対するフロントバイアホール15が設置され、前記外殻1に握り装置が設置される。
【００２０】
その中に、前記押棒が前記下嵌め溝13と係合設置されるソールバー103及び前記後嵌め溝12と係合設置される後レバー102を含み、前記ロールアウト構造が前記後嵌め溝12と通連するロールアウトホール61を含み、前記ロールアウトホール61に前記後レバー102と固定に接続されるねじ込みソケット殻63が設置され、前記ロールアウトホール61に前記ねじ込みソケット殻63と係合接続されるロールアウト螺旋レバー62が設置され、前記ロールアウト62の後端が前記ロールアウトホール61の後端部に設置される第二電機6と接続される。
【００２１】
その中に、前記上ガイド溝10、空き倉庫2、下ガイド溝14と下嵌め溝13がいずれも前記後嵌め溝12と通連し、前記後嵌め溝12、空き倉庫2及びフロントバイアホール15がいずれも前記下嵌め溝13と通連し、前記上ガイド溝10の左右両端がそれぞれ前記左差込溝7及び右差込溝8と通連し、前記下ガイド溝14の水平的な長さが前記上ガイド溝10、左差込溝7及び右差込溝8の水平的な長さと同じである。
【００２２】
その中に、前記左差込溝7と右差込溝8の頂端に斜角口9が設置され、前記斜角口9を設置することで防水段ボール100と保温段ボール200が快速に前記左差込溝7及び右差込溝8に挿入することを便利に与え、前記上ガイド溝10の頂端部の左右両端にいずれも斜角面11が設置され、前記斜角面11を設置することで防水段ボール100と保温段ボール200が内側へスムーズに滑ることに便利を与える。
【００２３】
その中に、前記左螺旋レバー31の左端が前記左スライド溝3の左端部と回転し係合接続され、前記左螺旋レバー31の右端が前記第一電機5と接続され、更に前記左螺旋レバー31と前記左スライド溝3及び右スライド溝4の間の前記外殻1と回転し係合接続され、前記右螺旋レバー41の右端と前記右スライド溝4の右端部が回転し係合接続され、前記右螺旋レバー41の左端が前記第一電機5と接続され、更に前記右螺旋レバー41も前記左スライド溝3及び右スライド溝4の間の前記外殻1と回転し係合接続される。
【００２４】
その中に、前記左押し構造及び右押し構造がいずれも前記左スライド溝3及び右スライド溝4とスライドし係合接続されるかつ前記左螺旋レバー31及び右螺旋レバー41と係合接続されるスライドブロック32を含み、前記スライドブロック32の頂部に前記空き倉庫2の内側へ広がる押板33が固定に設置され、前記押板33に接続溝34が設置され、前記接続溝34の中に切り欠きが内側に向かうかつ左右にスムーズに滑る頂板35が設置され、前記頂板35と前記空き倉庫2がスライドし係合接続され、前記接続溝34の外側端部に二つの弾性短冊ホール36が上下に対応し設置され、それぞれの前記弾性短冊ホール36に弾性短冊37が設置され、前記弾性短冊37の内側端が前記頂板35と固定に接続されて前記頂板35を内側へ押さえる。
【００２５】
その中に、前記握り装置が前記外殻1の左右両端面に固定に取付けられる握り棚121を含み、前記握り棚121に握りホール122が設置され、握り棚121によって外殻1を便利に移動または運搬できる。
【００２６】
初期位置状態にある時、前記第一電機5と第二電機6が作動の停止状態にあリ、二つの前記スライドブロック32がそれぞれ前記左スライド溝3及び右スライド溝4の一番外側端にあり、前記頂板35が前記弾性短冊37の推力の作用のもとで内側へスライドして前記接続溝34の一番内側端に位置し、前記ソールバー103が前記下嵌め溝13にあり、前記後レバー102が前記後嵌め溝12にあり、前記ねじ込みソケット殻63が前記ロールアウト61に収縮する。
【００２７】
防水段ボール100と保温段ボール200を段ボールに押さえて形成させる時、防水段ボール100を前記左差込溝7に挿入し、防水段ボール100の底部を前記下ガイド溝14に挿入して前記下ガイド溝14とスライドし係合接続させ、保温段ボール200を前記右差込溝8から挿入し、保温段ボール200の底部を前記下ガイド溝14に挿入して前記下ガイド溝14とスライドし係合接続させ、また前記第一電機5を起動して前記左螺旋レバー31及び前記右螺旋レバー41を回転させ、前記左螺旋レバー31及び前記右螺旋レバー41が回転する同時に各自と係合接続される前記スライドブロック32を内側へスライドさせ、前記スライドブロック32が内側へスライドして前記押板33を内側へ運動させ、前記押板33が内側へ運動して前記頂板35を内側へスライドさせ、二つの前記頂板35が内側へスライドして各自と対応する防水段ボール100及び保温段ボール200を内側へスライドして接近させ、防水段ボール100と保温段ボール200が接近する時に、前記頂板35が継続して内側へスライドし、それにより前記頂板35が前記弾性短冊37の推力を抵抗して前記弾性短冊37を前記弾性短冊ホール36に縮ませ、二つの前記押板33の内側端面が別々防水段ボール100及び保温段ボール200と突き合う時に、前記押板33の内側端面が前記頂板35の内側端面と同じ水平面にあり、この時に二つの前記頂板35と二つの前記押板33によって防水段ボール100と保温段ボール200に圧力を与えて段ボールに成型させ、この時に、成型された段ボールが押棒にあり、それから前記第一電機5を逆転させ、二つの前記押板33が外側へ運動して成型された段ボールとの接触から離脱し、この時に、二つの前記頂板35が前記弾性短冊37の推力の作用のもとでまた成型された段ボールと接触する状態にあり、これにより成型された段ボールがずらないように成型された段ボール推力を加え、第一電機5を逆転させた後で第二電機6を起動してねじ込みソケット殻63を前記ロールアウトホール61から差し出し、これにより前記ねじ込みソケット殻63が前記押棒を成型された段ボールと一緒に前記フロントバイアホール15からロールアウトさせ、最後に成型された段ボールを取り外せばいい、前記押板33が外側へ運動する過程で前記頂板35が外側へ運動して成型された段ボールとの接触から離脱し、成型された段ボールを取り外すことが便利になり、成型された段ボールを取り外した後で、本装置を初期状態に戻せば次の押さえ成型作動に進める。
【００２８】
以上に本発明の基本原理、主な特徴と本発明の長所を表明し説明した。本業界の技術者が了解すべきなのは本発明は上記の実施例の制限を受けなく、上記の実施例と説明書に説明したのは本発明の原理で、本発明の意義と原理から離れない前提に本発明に各種の変化と改善があり、これらの変化と改善が本発明の保護範囲にある。本発明の保護範囲は添付の権利要求書と同等内容に画定される。
【図１】
2019010876.tif 000003
【図２】
2019010876.tif 000004
【図３】
2019010876.tif 000005
【図４】
2019010876.tif 000006
【図５】
2019010876.tif 000007